(57)【要約】  複数の抵抗器ユニットを製造する方法であって、複数の抵抗器ユニットは各々、抵抗器エレメントのグループを含むキャリアを含み、抵抗器エレメントの端部には、それぞれの第１および第２の電気端子が提供されており、この方法は、ａ）キャリアプレートを提供するステップと、ｂ）キャリアプレートの下側面に抵抗器材料の複数のストリップを規則的なパターンで形成するステップであって、抵抗器材料のストリップのそれぞれの列が、長手方向に沿って形成されるようになっている、ステップと、ｃ）キャリアプレートの下側面に導電性材料の複数のゾーンを規則的なパターンで形成するステップであって、導電性材料のゾーンのそれぞれの列が、長手方向に沿って形成されるようになっている、ステップと、ｄ）規則的な横断方向の切り込み、第１の長手方向の切り込み、および第２の長手方向の切り込みによって、キャリアプレートを切断するステップであって、それぞれの抵抗器ユニットおよびそれぞれの残留セクションが、横断方向に沿って交互に形成されるようになっている、ステップとを含む。
2021529434.tif 000002
【特許請求の範囲】
【請求項１】
複数の抵抗器ユニット（４４）を製造する方法であって、前記複数の抵抗器ユニット（４４）は各々、抵抗器エレメント（５０）のグループを有するキャリア（４６）を含み、前記抵抗器エレメント（５０）の端部には、それぞれの第１および第２の電気端子（５２、５４）が提供されており、前記方法は、
ａ）  上側面（１２）および下側面（１４）を有するキャリアプレート（１０）を提供するステップと、
ｂ）  前記キャリアプレート（１０）の前記下側面（１４）に抵抗器材料の複数のストリップ（１６）を規則的なパターンで形成するステップであって、前記ストリップ（１６）は、横断方向（Ｑ）に沿って第１の端部（２０）および第２の端部（２２）を有しており、前記抵抗器材料のストリップ（１６）のそれぞれの列（１８）が、前記横断方向（Ｑ）に対して垂直に延在する長手方向（Ｌ）に沿って形成されるようになっており、複数の前記列（１８）が、前記横断方向（Ｑ）において互いに隣り合って配置されるようになっている、ステップと、
ｃ）  前記キャリアプレート（１０）の前記下側面（１４）に導電性材料の複数のゾーン（２４）を規則的なパターンで形成するステップであって、前記ゾーン（２４）は、前記横断方向（Ｑ）に沿って、第１の端部（２８）、中間領域（３０）、および第２の端部（３２）を有しており、前記導電性材料のゾーン（２４）のそれぞれの列（２６）が、前記長手方向（Ｌ）に沿って形成されるようになっており、複数の前記列（２６）が、前記横断方向（Ｑ）において互いに隣り合って配置されるようになっており、前記抵抗器材料のストリップ（１６）の前記列（１８）、および、前記導電性材料のゾーン（２４）の前記列（２６）は、前記横断方向（Ｑ）において交互に配置されており、前記キャリアプレート（１０）の境界領域を除いて、前記抵抗器材料の前記ストリップ（１６）は、それらの第１の端部（２０）において、前記導電性材料のそれぞれのゾーン（２４）の前記第１の端部（２８）と重なっており、それらの第２の端部（２２）において、前記導電性材料のそれぞれのゾーン（２４）の前記第２の端部（３２）と重なっている、ステップと、
ｄ）  前記横断方向（Ｑ）に沿った規則的な横断方向の切り込み（３６）、前記長手方向（Ｌ）に沿った第１の長手方向の切り込み（３８）、および、前記長手方向（Ｌ）に沿った第２の長手方向の切り込み（４０）によって、前記キャリアプレート（１０）を切断するステップであって、前記横断方向の切り込み（３６）が、互いに関連付けられ、前記長手方向（Ｌ）において互いに隣接する、前記抵抗器材料のストリップ（１６）のグループ（４２）同士の間に延在するようになっており、さらに、前記第１の長手方向の切り込み（３８）が、前記導電性材料のゾーン（２４）の前記中間領域（３０）から前記第１の端部（２８）を切り離すようになっており、前記第２の長手方向の切り込み（４０）が、前記導電性材料のゾーン（２４）のそれぞれの列（２６）の前記中間領域（３０）から前記第２の端部（３２）を切り離すようになっており、前記キャリアプレート（１０）のそれぞれの抵抗器ユニット（４４）およびそれぞれの残留セクション（４６）が、前記横断方向（Ｑ）に沿って交互に形成されるようになっており、前記残留セクション（４６）は、前記導電性材料のゾーン（２４）の列（２６）の切り離された中間領域（３０）を含む、ステップと
を含む、方法。
【請求項２】
前記キャリアプレート（１０）の切断によって形成された前記それぞれの抵抗器ユニット（４４）は、
−  前記抵抗器ユニット（４４）の前記キャリア（４８）を形成する前記キャリアプレート（１０）のセクションと、
−  前記抵抗器ユニット（４４）の抵抗器エレメント（５０）の前記グループを形成する前記抵抗器材料のストリップ（１６）のグループ（４２）と、
−  前記抵抗器エレメント（５０）の前記第１の電気端子（５２）を形成する前記導電性材料のゾーン（２４）の複数の第１の端部（２８）と、
−  前記抵抗器エレメント（４４）の前記第２の電気端子（５４）を形成する前記導電性材料のゾーン（２４）の複数の第２の端部（３２）と
を有する、請求項１に記載の方法。
【請求項３】
前記横断方向の切り込み（３６）の相互間隔、および、前記第１の長手方向の切り込みおよび前記第２の長手方向の切り込み（３８、４０）の相互間隔は、形成されたそれぞれの前記抵抗器ユニット（４４）が０．６ｍｍ未満の幅および０．８ｍｍ未満の長さを有するように選択され、前記幅は、特に、０．３ｍｍから０．３４ｍｍの範囲とすることができ、前記長さは、特に、０．５４ｍｍから０．６２ｍｍの範囲とすることができる、請求項１または請求項２に記載の方法。
【請求項４】
前記抵抗器材料のストリップ（１６）の前記グループ（４２）は、前記抵抗器材料の２つのストリップ（１６）を含む、請求項１から３のいずれか一項に記載の方法。
【請求項５】
形成された前記抵抗器ユニット（４４）の前記抵抗器材料の前記ストリップ（１６）は、等しいサイズである、請求項１から４のいずれか一項に記載の方法。
【請求項６】
形成された前記抵抗器ユニット（４４）の前記抵抗器材料の前記ストリップ（１６）は、異なるサイズであり、特に、前記第１の端部（２０）と前記第２の端部（２２）との間で、前記抵抗器材料の前記ストリップ（１６）の延在に対して横断方向に異なる幅を備える、請求項１から４のいずれか一項に記載の方法。
【請求項７】
前記キャリアプレート（１０）は、セラミック基板を含む、請求項１から６のいずれか一項に記載の方法。
【請求項８】
前記抵抗器材料および前記導電性材料は、前記キャリアプレート（１０）の前記下側面（１４）のみに適用される、請求項１から７のいずれか一項に記載の方法。
【請求項９】
前記抵抗器材料の前記複数のストリップ（１６）を形成するステップｂ）は、
カソード噴霧によって前記キャリアプレート（１０）の前記下側面（１４）に金属層を適用するステップと、
蒸発による前記金属層の局所的な除去と
を含む、請求項１から８のいずれか一項に記載の方法。
【請求項１０】
前記導電性材料の前記複数のゾーン（２４）を形成するステップｃ）は、
導電性のペーストを用いて前記キャリアプレート（１０）の前記下側面（１４）をプリントするステップ
を含む、請求項１から９のいずれか一項に記載の方法。
【請求項１１】
ステップｄ）における前記キャリアプレート（１０）を切断する前記ステップは、レーザービームによって行われる、請求項１から１０のいずれか一項に記載の方法。
【請求項１２】
前記抵抗器材料のそれぞれのストリップ（１６）の電気抵抗は、前記第１の長手方向の切り込みおよび前記第２の長手方向の切り込み（３８、４０）によって前記キャリアプレート（１０）を切断する前記ステップの前に測定され、接触プローブ（３４）は、前記抵抗器材料のそれぞれの前記ストリップ（１６）の前記第１の端部（２０）と重なる前記導電性材料の前記ゾーン（２４）、および前記抵抗器材料のそれぞれの前記ストリップ（１６）の前記第２の端部（２２）と重なる前記導電性材料の前記ゾーン（２４）に適用される、請求項１から１１のいずれか一項に記載の方法。
【請求項１３】
請求項１から１２のいずれか一項に記載の方法にしたがって製造された抵抗器ユニット（４４）であって、前記抵抗器ユニット（４４）は、キャリア（４８）と、前記キャリア（４８）の前記下側面に配置されている抵抗器エレメント（５０）のグループと、前記抵抗器エレメント（５０）のそれぞれの第１の端部に接続されている第１の電気端子（５２）と、前記抵抗器エレメント（５０）のそれぞれの第２の端部に接続されている第２の電気端子（５４）とを含み、
前記抵抗器ユニット（４４）は、０．６ｍｍ未満の幅および０．８ｍｍ未満の長さを有しており、前記幅は、特に、０．３ｍｍから０．３４ｍｍの範囲にあり、前記長さは、特に、０．５４ｍｍから０．６２ｍｍの範囲にある、抵抗器ユニット（４４）。
【発明の詳細な説明】
【技術分野】
【０００１】
本発明は、複数の抵抗器ユニットを製造する方法に関し、複数の抵抗器ユニットは各々、抵抗器エレメントのグループを含むキャリアを含み、抵抗器エレメントの端部には、それぞれの第１および第２の電気端子が提供されている。
【背景技術】
【０００２】
そのような方法は、電気部品および／または電気的なデバイスにおいて使用され得、電気端子によって部品またはデバイスの回路に導電的に接続され得る抵抗器ユニットの製造に役立つ。抵抗器ユニットは、互いに平行に配置されているストリップにおけるキャリアの一方の側面に形成されている少なくとも２つの抵抗器エレメントを有することが可能である。たとえば、抵抗器エレメントのストリップは、長さの２倍の幅とすることが可能であり、それによって、抵抗器ユニットに関して、おおよそ正方形の形状が典型的に結果として生じる。益々小さくなっている部品またはデバイスにおいて使用するための抵抗器ユニットのサイズをそれに対応して低減させることも必要となり得る。しかし、長さ×幅で表現されるその寸法が０．８ｍｍ×０．６ｍｍ未満である抵抗器ユニットを製造することは、公知の方法ではまだ可能ではない。
【発明の概要】
【発明が解決しようとする課題】
【０００３】
したがって、本発明の目的は、サイズが低減された複数の抵抗器ユニットが安価に、信頼性高く、かつ効率的に製造され得る方法を提供することである。
【課題を解決するための手段】
【０００４】
この目的は、請求項１に記載の方法であって、特に、
ａ）  上側面および下側面を有するキャリアプレートを提供するステップと、
ｂ）  キャリアプレートの下側面に抵抗器材料の複数のストリップを規則的なパターンで形成するステップであって、ストリップは、横断方向に沿って第１の端部および第２の端部を有しており、抵抗器材料のストリップのそれぞれの列が、横断方向に対して垂直に延在する長手方向に沿って形成されるようになっており、複数の前記列が、横断方向において互いに隣り合って配置されるようになっている、ステップと、
ｃ）  キャリアプレートの下側面に導電性材料の複数のゾーンを規則的なパターンで形成するステップであって、ゾーンは、横断方向に沿って、第１の端部、中間領域、および第２の端部を有しており、導電性材料のゾーンのそれぞれの列が、長手方向に沿って形成されるようになっており、複数の前記列が、横断方向において互いに隣り合って配置されるようになっており、抵抗器材料のストリップの列、および、導電性材料のゾーンの列は、横断方向において交互に配置されており、キャリアプレートの境界領域を除いて、抵抗器材料のストリップは、それらの第１の端部において、導電性材料のそれぞれのゾーンの第１の端部と重なっており、それらの第２の端部において、導電性材料のそれぞれのゾーンの第２の端部と重なっている、ステップと、
ｄ）  横断方向に沿った規則的な横断方向の切り込み（ｉｎｃｉｓｉｏｎ）、長手方向に沿った第１の長手方向の切り込み、および、長手方向に沿った第２の長手方向の切り込みによって、キャリアプレートを切断する（ｃｕｔｔｉｎｇ）ステップであって、横断方向の切り込みが、互いに関連付けられ、長手方向において互いに隣接する、抵抗器材料のストリップのグループ同士の間に延在するようになっており、さらに、第１の長手方向の切り込みが、導電性材料のゾーンのそれぞれの列の中間領域から第１の端部を切り離すようになっており、第２の長手方向の切り込みが、導電性材料のゾーンのそれぞれの列の（特に、前記列のまたは別の列の）中間領域から第２の端部を切り離すようになっており、キャリアプレートのそれぞれの抵抗器ユニットおよびそれぞれの残留セクションが、横断方向に沿って交互に形成されるようになっており、前記残留セクションは、導電性材料のゾーンの列の分離された中間領域を含む、ステップと
を含む方法によって満たされる。
【０００５】
したがって、本発明による方法において、抵抗器材料および導電性材料は、ストリップまたはゾーンにおいてそれぞれの規則的な様式でキャリアプレートに適用され、適用された抵抗器材料および適用された導電性材料は、特定の領域において重なった状態になっている。これらの重なり領域は、抵抗器ユニットの電気端子としての役割を果たし、抵抗器ユニットは、電気端子によって電気部品またはデバイスに導電的に接続され得る。
【０００６】
分離（すなわち、個々の抵抗器ユニットの形成）は、この方法の終わりにおいて、長手方向および横断方向にキャリアプレートを切断するキャリアプレートの適切な切り込みによって行われ、実際に、複数の抵抗器ユニットが即座に製造されるようになっている。この点に関して、横断方向および長手方向は、２つの基準方向を定義しており、２つの基準方向は、互いに垂直に延在しており、必ずしも、キャリアプレートの長手方向の形態、抵抗器材料のストリップの長手方向の形態、または、抵抗器ユニットの長手方向の形態を指定しているとは限らない。
【０００７】
製造方法における廃棄物として明らかに生じるキャリアプレートの残留セクションは、導電性材料のゾーンの中間領域の切り離しによって形成される。しかし、形成された抵抗器エレメントの電気端子のサイズは、第１および第２の長手方向の切り込みの適切な選択によって、簡単な様式で設定され得、特に、導電性材料のゾーンのサイズ（それは、任意の所望のサイズまで低減されることができない）から独立して最小化され得る。さらに、導電性材料のゾーンの中間領域は、以下に説明されている有利な実施形態による切り離しの前に電気抵抗の検査を可能にする。
【０００８】
本発明による方法によれば、抵抗器材料のストリップの列、および、導電性材料のゾーンの列は、互いに隣り合って配置されており（ただし、必ずしも同じ数であるとは限らない）、横断方向において交互に配置されている。たとえば、キャリアプレートの境界領域を除いて、導電性材料のゾーンのそれぞれの列は、抵抗器材料のストリップの２つの列の間に配置され得、抵抗器材料のストリップの列の数は、特に、導電性材料のゾーンの列の数に対応することが可能である。しかし、キャリアプレートの境界領域を除いて、導電性材料のゾーンの２つのそれぞれの列が、抵抗器材料のストリップの２つの列の間に配置されており、導電性材料のゾーンの列の数を、特に、抵抗器材料のストリップの列の数の２倍とすることができるということも代替的に可能である。最後に挙げられたケースでは、最終的に、導電性材料のそれぞれのゾーンの２つの端部のうちの一方だけが、抵抗器材料のストリップと重なっており、一方、それぞれのゾーンの他方の端部は、ステップｄ）において切り離され、したがって、抵抗器材料のストリップに接触する役割を果たさない。
【０００９】
抵抗器材料の隣接するストリップの相互間隔の長さおよび幅、ならびに、導電性材料の隣接するゾーンの相互間隔の長さおよび幅の適切な選択によって、多種多様なサイズの抵抗器ユニットが製造され得る。
【００１０】
抵抗器ユニットの寸法に関する制限は、本方法から生じない。特に、小さい寸法によって特徴付けられ、たとえば、携帯電話、スマートフォン、スマートウォッチ、補聴器、または同様のデバイスなど、抵抗器ユニットの特にコンパクトな設計を必要とする部品またはデバイスにおいて使用され得る抵抗器ユニットが、本方法によって製造され得る。
【００１１】
好適な実施形態は、従属請求項から、および説明から理解され得る。
【００１２】
一実施形態によれば、キャリアプレートを切断するステップによって形成されたそれぞれの抵抗器ユニットは、抵抗器ユニットのキャリアを形成するキャリアプレートのセクションと、抵抗器ユニットの抵抗器エレメントのグループを形成する抵抗器材料のストリップのグループと、抵抗器エレメントの第１の電気端子を形成する導電性材料のゾーンの複数の第１の端部と、抵抗器エレメントの第２の電気端子を形成する導電性材料のゾーンの複数の第２の端部とを含む。したがって、それぞれの抵抗器エレメントは、その２つの端部の重なりによって、横断方向において、導電性材料のゾーンのそれぞれの端部に導電的に接続されており、前記それぞれの端部は、電気部品またはデバイスへの接続のためのそれぞれの電気端子としての役割を果たしている。
【００１３】
横断方向の切り込みの相互間隔、および、第１の長手方向の切り込みおよび第２の長手方向の切り込みの相互間隔は、好ましくは、形成された抵抗器ユニット（特に、２つの抵抗器エレメントを有する抵抗器ユニット）が０．６ｍｍ未満の幅および０．８ｍｍ未満の長さを有するように選択され、幅は、特に、０．３ｍｍから０．３４ｍｍの範囲にあり、長さは、特に、０．５４ｍｍから０．６２ｍｍの範囲にあり、幅は、好ましくは、おおよそ０．３２ｍｍになっており、長さは、好ましくは、０．５８ｍｍになっている。これらの小さい寸法は、以前の方法によって製造され得る抵抗器ユニットの範囲の外側にある。換言すれば、抵抗器ユニットは、本発明による方法によってのみ、これらの寸法で製造され得る。
【００１４】
一実施形態によれば、抵抗器材料のストリップのグループは、抵抗器材料の２つのストリップを含む。したがって、抵抗器ユニットは、２つの抵抗器エレメントを含む。しかし、抵抗器材料の３つ以上の、たとえば、３つのまたは４つの、ストリップを有する実施形態も可能である。この点に関して、抵抗器エレメントの各々は、導電性材料の２つのゾーンの第１もしくは第２の端部によって、または、それらによって形成される電気端子によって、電気部品もしくはデバイスにまたは電気回路に別個に接続可能である。
【００１５】
抵抗器ユニットの異なる幾何学形状は、抵抗器材料のストリップの規則的な配置、および、導電性材料のゾーンの規則的な配置によって、特に、列の形態で互いに隣接している抵抗器エレメントの配置によって、２つ以上の抵抗器エレメントによって簡単な様式で実現され得る。この目的のためには、相互に関連付けられた隣接するストリップのグループの分割を変化させること、および、これに伴って、製造方法における横断方向の切り込みの相互間隔を変化させることで十分である。
【００１６】
一実施形態によれば、形成されたそれぞれの抵抗器ユニットの抵抗器材料のストリップは、等しいサイズである。換言すれば、抵抗器材料のストリップは、同じ幅、同じ長さ、および同じ厚さを有する。したがって、その抵抗器エレメントが同じ抵抗値を有する抵抗器ユニットが形成される。
【００１７】
さらなる実施形態によれば、形成された抵抗器ユニットの抵抗器材料のストリップは、異なるサイズであり、特に、第１の端部と第２の端部との間で、抵抗器材料のストリップの延在の方向に対して横断方向に異なる幅を有する。したがって、それぞれの形成された抵抗器ユニットの抵抗器エレメントの抵抗値は、異なる値とすることが可能である。
【００１８】
ストリップのような様式で互いに隣接している抵抗器エレメントの配置に起因して、対応する異なる抵抗値を有する抵抗器エレメントの異なる幾何学形状が、簡単な様式で実現され得る。この目的のためには、本方法において抵抗器材料のストリップの長さを変化させることで十分であり、また、これと調和して、導電性材料の隣接するゾーンの配置および間隔も変化させることで十分である。
【００１９】
キャリアプレートは、好ましくは、セラミック基板を含み、セラミック基板は、特に、前記セラミック基板の絶縁特性に起因して、抵抗器材料と導電性材料のゾーンの外側の導電性材料との間に電気的接触が存在することを防止する。そのようなキャリアプレートは、製造するのが簡単であり、安価に大量に製造され得る。別の点において、セラミック基板は、ステップｄ）におけるキャリアプレートの簡単で問題のない切断を可能にする。
【００２０】
一実施形態によれば、抵抗器材料および導電性材料は、キャリアプレートの下側面のみに適用されている。これは、形成された抵抗器ユニットのキャリアの上側面は、抵抗器エレメントおよび／または電気端子を含まないということ意味している。したがって、抵抗器ユニットは、フリップチップ構造（Ｆｌｉｐ  Ｃｈｉｐ  Ｃｏｎｓｔｒｕｃｔｉｏｎ）における組み立ておよび接触のために構成されている。この構造の利点は、抵抗器ユニットの電気端子が、デバイスもしくは部品の電気回路に直接的に下向きに接続可能であるということ、および／または、その中に挿入可能であるということであり、抵抗器ユニットまたは回路へのさらなるコネクターワイヤーの取り付けが省略され得る。
【００２１】
一実施形態によれば、抵抗器材料の複数のストリップの形成のステップｂ）は、カソード噴霧によるキャリアプレートの下側面への金属層の適用、および、蒸発による金属層の局所的な除去を含む。抵抗器材料の層は、カソード噴霧（いわゆる、「スパッタリング」）に起因して、小さい厚さでキャリアプレートに適用され得、優れた均一性および良好な再現性によって特徴付けられている。これは、その抵抗値がすべて所定の幅の狭い範囲内にある複数の抵抗器エレメントの製造を可能にする。
【００２２】
複数のストリップの形態で抵抗器材料をキャリアプレートに適用するために、ストリップの所定の領域の外側の抵抗器材料は、たとえば、レーザーによって除去または蒸発させられ得る。抵抗器材料は、この方法によって、精密におよび優れた位置精度で、ストリップの領域に制限され得る。
【００２３】
代替的に、マスクが、ストリップに対応する複数のアパーチャーを有するキャリアプレートの下側面に適用され得る。マスクの適用の後に、抵抗器材料は、キャリアプレートの下側面の上に蒸着され得る。抵抗器材料は、マスクを通してアパーチャーの位置においてのみ、キャリアプレートと接触した状態になり、それによって、マスクの除去の後に、抵抗器材料の複数のストリップがキャリアプレートの上に形成される。ただし、大面積の適用および抵抗器材料の局所的な除去に加えて、または、マスクの適用に加えて、抵抗器材料のストリップを形成するための他の方法も考えられる。
【００２４】
一実施形態によれば、導電性材料の複数のゾーンを形成するステップｃ）は、導電性のペーストを用いて（特に、銀パラジウム合金を用いて）キャリアプレートの下側面をプリントすることを含む。プリンティングプレートは、たとえば、この目的のために使用され得、導電性のペーストがプリンティングプレートの上に規則的なパターンで適用され、そのパターンは、ゾーンの配置に対応している。プリンティングプレートに適用される導電性のペーストのパターンは、特に、抵抗器材料のストリップの配置と調和している。
【００２５】
導電性材料の複数のゾーンの形成の後に、ゾーンの亜鉛メッキ（特に、ニッケルスズ亜鉛メッキ）が行われ得る。
【００２６】
また、抵抗器材料の複数のストリップを形成するステップｂ）、および、導電性材料の複数のゾーンを形成するステップｃ）は、逆の順序でまたは部分的に同時に行われ得るということが理解される。抵抗器材料のストリップと導電性材料のゾーンとが重なることは、この点に関して、抵抗器材料のそれぞれのストリップが導電性材料のそれぞれのゾーンを部分的にカバーするように行われ得るか、または、導電性材料のそれぞれのゾーンが抵抗器材料のそれぞれのストリップを部分的にカバーするように行われ得る。
【００２７】
一実施形態によれば、ステップｄ）におけるキャリアプレートを切断するステップは、レーザービームによって行われる。このプロセスにおいて、これは、キャリアプレートを構築するための精密で効率的な方法を可能にし、この技術では、１つの作業ステップにおいて簡潔なシーケンスで複数の切り込みの切断を実施することも可能になる。横断方向の切り込み、第１の長手方向の切り込み、および第２の長手方向の切り込みは、一般的に、ステップｄ）におけるキャリアプレートの切断のために、任意の所望の順序で実施され得る。横断方向の切り込み、第１の長手方向の切り込み、および第２の縦断面の規則的な配置は、この点に関して、抵抗器材料のストリップの規則的なパターン、および、導電性材料のゾーンの規則的なパターンに追従または対応している。
【００２８】
一実施形態によれば、抵抗器材料のそれぞれのストリップの電気抵抗は、第１の長手方向の切り込みおよび第２の長手方向の切り込みによってキャリアプレートを切断するステップの前に（特に、ステップｄ）の前に）測定され、接触プローブは、抵抗器材料のそれぞれの第１のストリップの第１の端部と重なる導電性材料のゾーンに適用され、また、抵抗器材料のそれぞれのストリップの第２の端部と重なる導電性材料のゾーンに適用される。測定値は、抵抗値が所定の公称範囲内にあるかどうか、または、それからの偏差が見出され得るかどうかについて、品質コントロールの一部としてチェックされ得る。接触プローブは、特に、ケルビンプローブであることが可能であり、ケルビンプローブは、ケルビン方法によって抵抗器材料のそれぞれのゾーンの電気抵抗を測定する。キャリアプレートの切断の前の電気抵抗の測定は、導電性材料のそれぞれのゾーンの全表面が接触プローブの適用のために利用可能となるという利点をもたらし、これは、接触プローブの位置決めを実質的に容易にし、または、抵抗器ユニットの小さいサイズに起因して、および、接触プローブと導電性材料のそれぞれのゾーンとの間の小さいサイズ関係に起因して、接触プローブの位置決めを可能にする。
【００２９】
本発明の第２の態様は、本発明による方法にしたがって製造された抵抗器ユニットに関し、抵抗器ユニットは、キャリアと、キャリアの下側面に配置されている抵抗器エレメントのグループと、抵抗器エレメントのそれぞれの第１の端部に接続されている第１の電気端子と、抵抗器エレメントのそれぞれの第２の端部に接続されている第２の電気端子とを含み、抵抗器ユニットは、０．６ｍｍ未満の幅および０．８ｍｍ未満の長さを有しており、幅は、特に、０．３ｍｍから０．３４ｍｍの範囲にあり、長さは、特に、０．５４ｍｍから０．６２ｍｍの範囲にある。抵抗器ユニットは、フリップチップ構造における組み立ておよび接触のために構成されており、また、その小さいサイズに起因して、たとえば、携帯電話、スマートフォン、スマートウォッチ、補聴器、または同様のデバイスなど、抵抗器ユニットの特にコンパクトな設計を必要とする電気部品またはデバイスにおいて使用され得る。
【００３０】
本発明は、有利な実施形態および添付の図面を参照しつつ、例として、以下に説明されることとなる。下記の図が、それぞれのケースにおいて概略的に示されている。
【図面の簡単な説明】
【００３１】
【図１】複数の抵抗器ユニットを製造する、本発明による方法の一実施形態のステップａ）を示す図である。
【図２】図１の実施形態のステップｂ）を示す図である。
【図３】図１の実施形態のステップｃ）を示す図である。
【図４】図１の実施形態の機能チェックを示す図である。
【図５】図１の実施形態のステップｄ）を示す図である。
【図６】本発明による抵抗器ユニットの一実施形態の下面図である。
【発明を実施するための形態】
【００３２】
図１は、複数の抵抗器ユニットを製造する、本発明による方法の一実施形態のステップａ）によるキャリアプレート１０の詳細を示している。キャリアプレート１０は、セラミック基板から形成され得、セラミック基板は、抵抗器材料および導電性材料を受け入れるための電気絶縁キャリアデバイスを形成している。図１において、矢印および文字「Ｑ」、「Ｌ」は、横断方向Ｑと、それに直交する長手方向Ｌを指定している。ここで、横断方向Ｑおよび長手方向Ｌは、２つの基準方向を定義しており、２つの基準方向は、互いに垂直に延在しており、必ずしも、キャリアプレート１０の長手方向の形状、または、形成される抵抗器ユニットの長手方向の形状を指定しているとは限らない。キャリアプレート１０は、上側面１２および下側面１４を含み、下側面１４は、図１に平面図で示されている。
【００３３】
図２に示されている本発明による方法のステップｂ）において、抵抗器材料の複数のストリップ１６が、キャリアプレート１０の下側面１４に規則的なパターンで適用されている。ストリップ１６は、列１８で配置されており、列１８は、長手方向Ｌに延在しており、横断方向Ｑに関して互いに隣り合って配置されている。ここで、図２は、キャリアプレート１０の詳細を示しており、そこでは、１６個のストリップ１６が、例として、４つの平行な列１８で配置されている。ストリップ１６の配置は、互いに直交する方向Ｑおよび方向Ｌの両方に示されているパターンにしたがって継続され得る。ストリップ１６は、横断方向Ｑに沿って第１の端部２０および第２の端部２２を有する。抵抗器材料の適用は、たとえば、カソード噴霧（いわゆる、スパッタリング）によって起こることが可能である。この技法は、抵抗器材料が均一な厚さの層でキャリアプレート１０の下側面１４に適用され得るという利点、および、より小さい厚さの層も作り出され得るという利点を提供する。しかし、抵抗器材料をキャリアプレート１０に適用するために、他の方法も考えられる。
【００３４】
ストリップ１６の位置のみにおいて抵抗器材料をキャリアプレート１０に適用するために、抵抗器材料は、たとえば、長手方向Ｌに沿って平行に延在する連続的な領域において、キャリアプレートに適用され得る。長手方向Ｌに沿って所定の間隔で抵抗器材料を除去または蒸発させるレーザーが、個々のストリップ１６（セグメンテーション）を形成するために使用され得る。ストリップ１６の精密な正確に位置決めされた配置は、この方法によって実現され得る。代替的に、キャリアプレート１０の下側面１４は、たとえば、抵抗器材料の適用の前にマスク（図示せず）によってカバーされ得、マスクは、ストリップ１６の位置にアパーチャーを有しており、たとえば、プラスチックから作り出され得る。したがって、抵抗器材料の適用およびその後のマスクの除去の後に、抵抗器材料の複数のストリップ１６の規則的なパターンが、キャリアプレート１０の上に結果として生じる。しかし、他の方法も考えられ、それは、このプロセスにおいてキャリアプレート１０の上に精密におよび簡単におよび効率的に抵抗器材料のストリップ１６を形成するために、単独でまたはマスクと組み合わせて適用され得る。
【００３５】
示されている実施形態において、抵抗器材料のストリップ１６は、互いに等しいサイズであり、すなわち、抵抗器材料のストリップ１６は、同じ幅および長さならびに同じ厚さを有する。したがって、抵抗器材料のストリップ１６は、同じ電気抵抗値を有する。他の実施形態では、ストリップは、異なるサイズを有することが可能であり、したがって、異なる電気抵抗値を有する抵抗器材料のストリップ１６を作り出すことが可能である。これは、長手方向Ｌに沿ってストリップの長さを変えることによって、簡単な様式で実現され得る。
【００３６】
図３は、本発明による方法のステップｃ）を示しており、そこでは、導電性材料の複数のゾーン２４が、キャリアプレート１０の下側面１４に形成されている。導電性材料のゾーン２４は、規則的なパターンでキャリアプレート１０に適用されており、導電性材料のゾーン２４は、複数の列２６で配置されている状態になっており、複数の列２６は、長手方向Ｌに延在しており、横断方向Ｑに関して互いに隣り合って配置されている。この点に関して、導電性材料のゾーン２４の列２６は、抵抗器材料のストリップ１６の列１８と平行に延在しており、横断方向Ｑにそれらと交互になっており、導電性材料のゾーン２４の複数の列２６が、抵抗器材料のストリップ１６の列１８の数に実質的に対応するようになっている。
【００３７】
導電性材料のゾーン２４は、横断方向Ｑに沿って、それぞれの第１の端部２８、中間領域３０、および第２の端部３２を有しており、キャリアプレート１０の辺縁領域を除いて、抵抗器材料のストリップ１６は、それらの第１の端部２０において、導電性材料のそれぞれのゾーン２４の第１の端部２８と重なっており、それらの第２の端部２２において、導電性材料のそれぞれのゾーン２４の第２の端部３２と重なっている。ゾーン２４の規則的なパターンは、ストリップ１６の規則的なパターンと調和しており、実際に、それぞれのゾーン２４とのそれぞれの重なり領域が、その第１の端部２０においてそれぞれのストリップ１６に形成されるようになっており、また、それぞれのゾーン２４との重なり領域が、その第２の端部２２に形成されるようになっている。
【００３８】
導電性材料のゾーン２４は、たとえば、銀パラジウム合金を含むことが可能である。ゾーン２４は、特に、キャリアプレート１０の下側面１４をプリントすることによって、ペーストの形態での適用によって形成され得る。導電性のペーストは、この目的のために、ゾーン２４の所定の配置に対応する規則的なパターンで、プリンティングプレート（図示せず）に適用される。導電性材料の複数のゾーン２４は、この技法によってプリンティングプロセスにおいて効率的に作り出され得る。
【００３９】
また、抵抗器材料の複数のストリップ１６を形成する図２に示されているステップｂ）、および、導電性材料の複数のゾーン２４を形成する図３に示されているステップｃ）は、逆の順序でまたは部分的に同時に実施され得る。したがって、抵抗器材料のストリップ１６と導電性材料のゾーン２４とが重なることは、抵抗器材料のそれぞれのストリップ１６が導電性材料のそれぞれのゾーン２４を部分的にカバーするように行われるか、または、導電性材料のそれぞれのゾーン２４が抵抗器材料のそれぞれのストリップ１６を部分的にカバーするように行われるかのいずれかであることが可能である。
【００４０】
機能性をチェックする随意的なステップ、および／または、形成された抵抗器ユニットを特徴付ける随意的なステップが、図４に示されている。この目的のために、接触プローブ３４（特に、ケルビンプローブ）が、導電性材料のゾーン２４と接触させられ、抵抗器材料のそれぞれのストリップ１６に関連付けられる。接触プローブ３４の接触ポイントだけが、図４に図示されている。
【００４１】
接触プローブ３４は、抵抗器材料のそれぞれのストリップ１６の第１の端部２０と重なる導電性材料のそのゾーン２４に適用され、また、抵抗器材料のそれぞれのストリップ１６の第２の端部２２と重なる導電性材料のそのゾーン２４に適用される。この点に関して、接触プローブ３４は、たとえば、ケルビン方法によって、抵抗器材料のそれぞれのストリップ１６の電気抵抗を測定し、ひいては、形成されることとなるそれぞれの抵抗器エレメントの電気抵抗を測定するように構成されている。次いで、抵抗値が所定の範囲内にあるかどうか、または、偏差が存在しているかどうかが、測定値から決定され得る。
【００４２】
それぞれのゾーン２４における接触プローブ３４の適用は、方法のステップｃ）の後に、および、ステップｄ）にしたがってキャリアプレート１０の切断の前に、機能テストを実施することによって促進される。その理由は、ゾーン２４の中間領域３０の表面が、また、この時点においてこの目的のために利用可能であるからである。少なくとも１対の接触プローブ３４（それぞれのストリップ１６の両側にそれぞれ１つの接触プローブ３４）が、抵抗器材料のストリップ１６のチェックのために必要とされ、複数対の接触プローブ３４が、また、複数のストリップ１６を同時にテストするために使用され得る。
【００４３】
図５は、本発明による方法のステップｄ）を示しており、そこでは、複数の抵抗器ユニット４４が、一連の切り込みによって、抵抗器材料のストリップ１６の列１８によっておよび導電性材料のゾーン２４の列２６によって占有されているキャリアプレート１０から分離されている。一連の切り込みは、横断方向Ｑに沿った横断方向の切り込み３６と、長手方向Ｌに沿った第１の長手方向の切り込み３８と、長手方向Ｌに沿った第２の長手方向の切り込み４０とを含む。
【００４４】
横断方向の切り込み３６、第１の長手方向の切り込み３８、および第２の長手方向の切り込み４０の規則的な配置は、抵抗器材料のストリップ１６の規則的なパターン、および、導電性材料のゾーン２４の規則的なパターンに対応している。ここで、横断方向の切り込み３６は、抵抗器材料のストリップ１６のグループ４２同士の間に延在しており、グループ４２は、互いに関連付けられており、長手方向Ｌにおいて互いに隣接する。グループ４２は、説明されている実施形態において、２つのストリップ１６をそれぞれ含む。しかし、グループ４２は、より多くのストリップ１６を含むことも可能であり、または、１つだけのストリップ１６を含むことも可能である。抵抗器ユニット４４の抵抗器材料のストリップ１６の数は、切り込み間隔の簡単な適合によって変更され得る。
【００４５】
第１の長手方向の切り込み３８は、導電性材料のゾーン２４のそれぞれの列２６の中間領域３０から第１の端部２８を切り離す。それとは対照的に、第２の端部３２は、第２の長手方向の切り込み４０によって、導電性材料のゾーン２４のそれぞれの列２６の中間領域３０から切り離される。したがって、キャリアプレートのそれぞれの抵抗器ユニット４４およびそれぞれの残留セクション４６は、横断方向Ｑに沿って一連の切り込み３６、３８、４０によって交互に形成される。それぞれの残留セクション４６は、導電性材料のゾーン２４の列２６の切り離された中間領域３０を含み、製造方法の終了した後にはもはや必要とされない。
【００４６】
横断方向の切り込み３６、第１の長手方向の切り込み３８、および第２の長手方向の切り込み４０は、一般的に、キャリアプレート１０の切断に関して任意の所望の順序で実施されるということが理解される。キャリアプレート１０の切断は、たとえば、レーザービームによって実施され得、それは、１つの作業プロセスにおいて、キャリアプレート１０の精密で効率的な構築を可能にする。
【００４７】
抵抗器材料のストリップ１６は、一般的に、長手方向の形状（特に、実質的に長方形）を有することが可能であり、抵抗器材料のストリップ１６のそれぞれの長手方向軸線は、長手方向Ｌに沿ってまたは横断方向Ｑに沿って整合させられ得る。これに対して代替的に、抵抗器材料のストリップ１６は、たとえば、実質的に正方形の形状を有することも可能である。
【００４８】
図６は、説明されている方法のステップａ）からｄ）によって生成される複数の抵抗器ユニットの抵抗器ユニット４４を例として下面図で示している。したがって、それぞれの抵抗器ユニット４４は、抵抗器ユニット４４のキャリア４８を形成するキャリアプレート１０のセクションと、抵抗器ユニット４４の抵抗器エレメント５０のグループを形成する抵抗器材料のストリップ１６のグループ４２と、抵抗器エレメント５０の第１の電気端子５２を形成する導電性材料のゾーン２４の複数の第１の端部２８と、抵抗器エレメント５０の第２の電気端子５４を形成する導電性材料のゾーン２４の複数の第２の端部３２とを含む。ここで、第１の電気端子５２は、抵抗器エレメント５０のそれぞれの第１の端部に接続されており、第２の電気端子５４は、抵抗器エレメント５０のそれぞれの第２の端部に接続されている。抵抗器ユニット４４は、キャリア４８の下側面における抵抗器エレメント５０の配置によるフリップチップ構造における組み立ておよび接触に特に適切である。
【００４９】
この方法において、横断方向の切り込み３６の相互間隔、ならびに、第１の長手方向の切り込みおよび第２の長手方向の切り込み３８、４０の相互間隔は、抵抗器ユニット４４が０．６ｍｍ未満の幅および０．８ｍｍ未満の長さを有するように選択され、幅は、特に、０．３ｍｍから０．３４ｍｍの範囲にあることが可能であり、長さは、特に、０．５４ｍｍから０．６２ｍｍの範囲にあることが可能である。その小さいサイズに起因して（それは、本発明による方法によって実現され得る）、抵抗器ユニット４４は、抵抗器ユニットの特に小さいコンパクトな設計を必要とする電気部品またはデバイスにおいて使用され得る。
【符号の説明】
【００５０】
１０  キャリアプレート
１２  上側面
１４  下側面
１６  抵抗器材料のストリップ
１８  抵抗器材料のストリップ１６の列
２０  抵抗器材料のストリップ１６の第１の端部
２２  抵抗器材料のストリップ１６の第２の端部
２４  導電性材料のゾーン
２６  導電性材料のゾーン２４の列
２８  導電性材料のゾーン２４の第１の端部
３０  導電性材料のゾーン２４の中間領域
３２  導電性材料のゾーン２４の第２の端部
３４  接触プローブ
３６  横断方向の切り込み
３８  第１の長手方向の切り込み
４０  第２の長手方向の切り込み
４２  隣接するストリップのグループ
４４  抵抗器ユニット
４６  残留セクション
４８  キャリア
５０  抵抗器エレメント
５２  第１の電気端子
５４  第２の電気端子
Ｑ  横断方向
Ｌ  長手方向
【図１】
2021529434.tif 000003
【図２】
2021529434.tif 000004
【図３】
2021529434.tif 000005
【図４】
2021529434.tif 000006
【図５】
2021529434.tif 000007
【図６】
2021529434.tif 000008
【国際調査報告】
2021529434.tif 000009
2021529434.tif 000010
2021529434.tif 000011
2021529434.tif 000012
2021529434.tif 000013
2021529434.tif 000014